(57)【要約】    【課題】耳に掛けることなく且つ手で持つことなく使用可能な眼鏡の提供。    【解決手段】左右の眼鏡レンズ２、３と、左右の眼鏡レンズ２、３同士を連結する連結体６とを備えた眼鏡１である。連結体６は弾性体からなり、連結体６の弾性変形により左レンズ２と右レンズ３との間隔が可変とされている。左レンズ２と右レンズ３との間に鼻が挟まれ、連結体６の復元力により鼻に固定される。使用状態では、連結体６は左右のフレーム４、５の間隔を広くするように弾性変形している。連結体６の復元力は左フレーム４と右フレーム５との間隔を狭めるように作用している。眼鏡１の鼻当接部７にはローレット加工などの滑り止め加工が施されている。使用状態において、眼鏡１は実質的に鼻のみによって支持されている。【選択図】図１
2007047591.tif 000002
【特許請求の範囲】
【請求項１】
左右の眼鏡レンズと、
上記左右の眼鏡レンズ同士を連結する連結体とを備え、
上記連結体は弾性体からなり、
上記連結体の弾性変形により左レンズと右レンズとの間隔が可変とされ、上記左レンズと上記右レンズとの間に鼻が挟まれ、上記連結体の弾性変形に伴う復元力により鼻に固定される眼鏡。
【請求項２】
上記左右の眼鏡レンズに取り付けられた左右のフレームを備え、
上記連結体は上記左右のフレーム同士を連結しており、
上記連結体の弾性変形に伴う復元力で上記左フレームと上記右フレームとの間に鼻が挟まれる請求項１に記載の眼鏡。
【請求項３】
互いに度の異なる請求項１又は２に記載の眼鏡を複数備えた眼鏡セット。
【発明の詳細な説明】
【技術分野】
【０００１】
本発明は、耳に掛けることなく使用可能な眼鏡及び眼鏡セットに関する。
【背景技術】
【０００２】
一般に眼鏡は、左右のフレームと、上記左右のフレームに固定された左右のレンズと、上記左右のフレームを連結するブリッジと、左右の鼻当てと、上記フレームの両端部に蝶番を介して取り付けられた左右のテンプルと、上記左右のテンプルの端部に設けられた耳当てとを有する。上記耳当てを使用者の耳に掛け且つ上記鼻当てを使用者の鼻に当接させることで眼鏡が使用される。
【０００３】
ところで、眼鏡を耳に掛けることができない場合がある。例えば、美容院でパーマやカットをされている人は、眼鏡を耳に掛けることができない。しかし、パーマやカットは長時間に亘ることも多く、パーマ中やカット中に眼鏡を使用して雑誌等を読みたいという要求がある。
【０００４】
実開平３−５８６１６号公報には、耳に掛けることなく使用可能な柄付き眼鏡が記載されている。この柄付き眼鏡はテンプル及び耳当てを有せず、代わりに手で持つための柄を有している。使用者は柄を握ることにより、耳に掛けることなく眼鏡を使用することができる。
【特許文献１】実開平３−５８６１６号公報
【発明の開示】
【発明が解決しようとする課題】
【０００５】
上記従来技術に記載の柄付き眼鏡では、柄を握ることが必要であるから、少なくとも片方の手が使用される。よって柄付き眼鏡では眼鏡を使用しながら両手（右手及び左手）を自由とすることができない。両手が自由でない場合、例えば美容院でパーマ中又はカット中に雑誌を持ちながら雑誌のページを捲ることが困難である。
【０００６】
本発明の目的は、耳に掛けることなく且つ手で持つことなく使用可能な眼鏡の提供にある。
【課題を解決するための手段】
【０００７】
本発明に係る眼鏡は、左右の眼鏡レンズと、上記左右の眼鏡レンズ同士を連結する連結体とを備え、上記連結体は弾性体からなり、上記連結体の弾性変形により左レンズと右レンズとの間隔が可変とされ、上記左レンズと上記右レンズとの間に鼻が挟まれ、上記連結体の弾性変形に伴う復元力により鼻に固定される眼鏡である。
【０００８】
好ましくは、上記眼鏡は、上記左右の眼鏡レンズに取り付けられた左右のフレームを備え、上記連結体は上記左右のフレーム同士を連結しており、上記連結体の弾性変形に伴う復元力で上記左フレームと上記右フレームとの間に鼻が挟まれるように構成されている。
【発明の効果】
【０００９】
上記発明によれば、耳に掛けることなく且つ手で持つことなく使用可能な眼鏡を提供することができる。
【発明を実施するための最良の形態】
【００１０】
以下、適宜図面が参照されつつ、好ましい実施形態に基づいて本発明が詳細に説明される。
【００１１】
図１は、本発明の第一実施形態に係る眼鏡１の全体図である。この眼鏡１は、左レンズ２、右レンズ３、左フレーム４、右フレーム５及び連結体６を備えている。連結体６は左フレーム４と右フレーム５とを連結している。連結体６は左右フレーム４、５を介して左レンズ２と右レンズ３とを連結している。連結体６は左フレーム４の内側端部（鼻配置側の端部）と右フレーム５の内側端部（鼻配置側の端部）とを連結している。左フレーム４は左レンズ２の左右縁部及び下縁部を支持している。右フレーム５は右レンズ３の左右縁部及び下縁部を支持している。左フレーム４及び右フレーム５は金属や樹脂などからなる。眼鏡１はテンプルや耳当てを有さない。
【００１２】
連結体６は湾曲部材よりなる。連結体６は下方に開放された湾曲部材である。連結体６の一端部が右フレーム５の端部と連結されており、連結体６の他端部が左フレーム４の端部と連結されている。連結体６は弾性体よりなる。弾性体の例としては、樹脂や金属等を挙げることが出来る。金属としては、例えば形状記憶合金は高弾性で且つ変形時に割れにくいので好ましい。連結体６は、左フレーム４と右フレーム５とを直接連結している。なお連結体６は、他の部材を介して左フレーム４と右フレーム５とを連結してもよい。また連結体６がフレーム４、５を介することなく左レンズ２と右レンズ３とを連結してもよい。例えば、いわゆるツーポイントタイプ（フチナシタイプ又はリムレスタイプとも称される）の眼鏡では、眼鏡のブリッジの部分がレンズに直接取り付けられている。このツーポイントタイプのブリッジと同様、連結体６が左レンズ２と右レンズ３とを連結してもよい。
【００１３】
図２は、図１のＩＩ−ＩＩ線に沿った断面図である。鼻と当接する部分即ち鼻当接部７には滑り止め加工が施されている。滑り止め加工の一例としては図２に示すローレット加工が挙げられる。滑り止め加工の他の例としては、粗面加工等が挙げられる。左右フレーム４、５の鼻当接部７に滑り止め部材を設けても良い。滑り止め部材としてはシリコーン樹脂やゴムなどを挙げることが出来る。鼻当接部７は、フレーム４、５と一体とされている。なお、鼻当接部７として、左右フレーム４、５とは別体の耳当て（図示されない）が設けられても良い。
【００１４】
連結体６の弾性変形により左レンズ２と右レンズ３との間隔が可変とされている。本実施形態の眼鏡１では、連結体６の弾性変形により左フレーム４と右フレーム５との間隔が可変とされている。連結体６を弾性変形させていない状態（図１の状態）では、左右の鼻当接部７の間隔は鼻１０の幅（鼻当接部７が当接される位置における鼻１０の左右幅）よりも狭い。使用状態においては、連結体６は弾性変形した状態が維持される。弾性変形に伴い、連結体６には復元力が生ずる。使用状態では、連結体６は左右のフレーム４、５の間隔を広くするように弾性変形している。鼻１０は右レンズ３と左レンズ２との間に挟まれている。そして鼻１０は左フレーム４と右フレーム５との間に挟まれている。連結体６の復元力は左フレーム４と右フレーム５との間隔を狭めるように作用している。眼鏡１は連結体６の復元力により鼻１０に固定されている。図３には、復元力の向きが矢印で示されている。使用状態において、眼鏡１は実質的に鼻１０のみによって支持されている。眼鏡１は左右のフレームで直接鼻１０を挟んでいるが、他の部材を介して鼻１０を挟んでも良い。例えば、公知の眼鏡で用いられている鼻当て（図示しない）で鼻１０を挟んでも良い。
【００１５】
図４は、上記眼鏡１を複数備えた眼鏡セット２０の斜視図である。複数の眼鏡１は、互いに度（レンズ２、３の度数）が異なる。眼鏡セット２０の使用者は、自分に合った度を有する眼鏡１を選択することができる。例えば眼鏡セット２０は美容院に配置される。美容院の来客は自分に合った度の眼鏡１を選択し、セット時やカット時などに使用する。眼鏡１は耳に掛けることなく使用できるので、セット時やカット時などに使用することができる。また眼鏡１は手を使うことなく使用することができるので、使用者は眼鏡１を使用しながら両手を使うことが出来る。
【００１６】
図５は、本発明の第二実施形態に係る眼鏡１１の全体図である。前述した眼鏡１と同様、眼鏡１１はテンプルや耳当てを有さない。眼鏡１１は、左レンズ２、右レンズ３、左フレーム４、右フレーム５及び連結体６を備えている。連結体６は左フレーム４と右フレーム５とを連結している。連結体６は左右フレーム４、５を介して左レンズ２と右レンズ３とを連結している。連結体６は左フレーム４の外側端部（左側端部）と右フレーム５の外側端部（右側端部）とを連結している。
【００１７】
連結体６は湾曲部材よりなる。連結体６は下方に開放された湾曲部材である。連結体６の一端部が右フレーム５の端部と連結されており、連結体６の他端部が左フレーム４の端部と連結されている。連結体６は前述した第一実施形態の眼鏡１と同様弾性体よりなる。前述した眼鏡１と同様、眼鏡１１の連結体６では、使用時の弾性変形によって端部間距離が拡げられる。眼鏡使用時における復元力は連結体６の端部間距離を狭くする方向に作用する。
【００１８】
図６は、図５のＶＩ−ＶＩ線における断面図である。前述した眼鏡１と同様、眼鏡１１の鼻当接部７には滑り止め加工としてローレット加工が施されている。
【００１９】
前述した眼鏡１と同様に、眼鏡１１では、連結体６の弾性変形により左レンズ２と右レンズ３との間隔が可変とされている。眼鏡１１では、連結体６の弾性変形により左フレーム４と右フレーム５との間隔が可変とされている。連結体６を弾性変形させていない状態（図５の状態）では、左右の鼻当接部７の間隔は鼻１０の幅（鼻当接部７が当接される位置における鼻１０の左右幅）よりも狭い。使用状態においては、連結体６は弾性変形した状態が維持される。図７に示す使用状態では、連結体６は左右のフレーム４、５の間隔を広くするように弾性変形している。鼻１０は右レンズ３と左レンズ２との間に挟まれている。そして鼻１０は左フレーム４と右フレーム５との間に挟まれている。連結体６の復元力は左フレーム４と右フレーム５との間隔を狭めるように作用している。眼鏡１１は連結体６の復元力により鼻１０に固定されている。使用状態において、眼鏡１１は実質的に鼻１０のみによって支持されている。図７には、復元力の向きが矢印で示されている。
【００２０】
フレーム４、５と連結体６との連結構造は特に限定されない。例えばフレーム４、５と連結体６とのいずれか一方の部材に設けられた凹部又は貫通孔に他方の部材が嵌め込まれた嵌め込み式の連結構造でもよい。嵌め込み式の連結構造は、連結体６をフレーム４、５に対して着脱可能としうる。フレーム４、５と連結体６とが一体成形されえいてもよい。フレーム４、５と連結体６とが熱融着されていてもよい。フレーム４、５と連結体６とが接着剤で接合されていてもよい。これらの各接合構造は、フレーム４、５と連結体６との間に別部材が存在する場合における各部材間の接合構造にも適用されうる。図５の眼鏡１１は、嵌め込み式の連結構造を有している。眼鏡１１では、フレーム４、５に設けられた凹部８に連結体６の両端部９が嵌め込まれている（図５中の拡大部分参照）。
【００２１】
連結体６は、フレーム４、５を介してレンズ２、３を連結してもよく、フレーム４、５を介することなくレンズ２、３を直接連結してもよい。ただし、レンズ２、３に直接連結体６を連結するよりも、フレーム４、５に連結体６を連結するほうが製造が容易である。また、使用状態においては常時復元力が作用しているので、復元力により割れにくい構造が有利である。よって連結体６は、フレーム４、５を介してレンズ２、３を連結しているのが好ましい。フレーム４、５を設けた場合、前述した眼鏡１のようにフレーム４、５で直接鼻１０を挟み込むことが出来る。フレーム４、５で直接鼻１０を挟み込むことにより、眼鏡の鼻１０への固定がより一層確実となる。
【００２２】
連結体６の形状や取付位置は特に限定されない。連結体６が湾曲形状の場合、弾性変形時に連結体６に作用する内部応力は湾曲形状によって均等化されうる。湾曲形状は弾性変形時における応力集中を緩和し、連結体６の破損を抑制しうる。
【図面の簡単な説明】
【００２３】
【図１】図１は、本発明の第一実施形態に係る眼鏡の全体図である。
【図２】図２は、図１のＩＩ−ＩＩ線における断面図である。
【図３】図３は、図１に示す眼鏡の使用状態を示す図である。
【図４】図４は、図１に示す眼鏡を複数備えた眼鏡セットの斜視図である。
【図５】図５は、本発明の第二実施形態に係る眼鏡の全体図である。
【図６】図６は、図５のＶＩ−ＶＩ線における断面図である。
【図７】図７は、図５に示す眼鏡の使用状態を示す図である。
【符号の説明】
【００２４】
１・・・眼鏡
２・・・左レンズ
３・・・右レンズ
４・・・左フレーム
５・・・右フレーム
６・・・連結体
７・・・鼻当接部
１０・・鼻
１１・・眼鏡
２０・・眼鏡セット
【図１】
2007047591.tif 000003
【図２】
2007047591.tif 000004
【図３】
2007047591.tif 000005
【図４】
2007047591.tif 000006
【図５】
2007047591.tif 000007
【図６】
2007047591.tif 000008
【図７】
2007047591.tif 000009